(57)【要約】【課題】前回から今回までの保守作業の間に新たな故障履歴がある場合に、端末装置を確実に起動することができる監視システムおよび保守用端末装置の起動方法を得る。【解決手段】端末装置は、端末装置の休止状態においても監視装置からのアクセスが可能であって、監視対象装置に関する受信済みの故障履歴番号を記憶する既読故障履歴記憶部を有し、監視装置は、監視対象装置の故障を監視する監視部と、各故障情報の前後関係を識別する故障履歴番号を記憶する故障履歴記憶部と、点検用スイッチが通常状態から点検状態に切り替わった場合に、監視装置の近傍に存在する端末装置の既読故障履歴記憶部から受信済みの故障履歴番号を読み出して、読み出した受信済みの故障履歴番号と故障履歴記憶部に記憶された故障履歴番号とを比較し、故障履歴記憶部に未送信の故障履歴がある場合に、端末装置に対して端末起動指令を送信する端末装置起動制御部とを有する。【選択図】図１
2013163584.tif 000002
【特許請求の範囲】
【請求項１】
状態が通常状態と点検状態とに切り替わる点検用スイッチを備えた監視対象装置を監視する監視装置と、
前記監視装置との間で通信を行う端末装置と、を備え、
前記端末装置は、休止状態および活動状態を含み、前記端末装置の休止状態においても前記監視装置からのアクセスが可能であって、前記監視対象装置に関する受信済みの故障履歴番号を記憶する既読故障履歴記憶部を有し、
前記監視装置は、
前記監視対象装置の故障を監視する監視部と、
前記監視部が故障を検出した時点をトリガとして、前記監視対象装置の故障情報および各故障情報の前後関係を識別する故障履歴番号を記憶する故障履歴記憶部と、
前記点検用スイッチが通常状態から点検状態に切り替わった場合に、前記監視装置の近傍に存在する前記端末装置の既読故障履歴記憶部から前記受信済みの故障履歴番号を読み出すとともに、読み出した前記受信済みの故障履歴番号と前記故障履歴記憶部に記憶された故障履歴番号とを比較し、前記故障履歴記憶部に未送信の故障履歴がある場合に、前記端末装置に対して端末起動指令を送信する端末装置起動制御部と、を有する
ことを特徴とする監視システム。
【請求項２】
前記端末装置は、
前記端末起動指令によって前記端末装置が休止状態から活動状態になった後、前記故障履歴記録部に記憶された故障履歴番号により、前記既読故障履歴記憶部に記憶される前記受信済の故障履歴番号を更新する保守ツール部を有する
ことを特徴とする請求項１に記載の監視システム。
【請求項３】
前記端末装置起動制御部は、前記端末装置に対して端末起動指令を送信する際に、前記端末装置を使用する保守員に対して、前記端末装置を起動する旨を報知する
ことを特徴とする請求項１または請求項２に記載の監視システム。
【請求項４】
状態が通常状態と点検状態とに切り替わる点検用スイッチを備えた監視対象装置を監視する監視装置と、前記監視装置との間で通信を行う端末装置と、を備え、前記端末装置は、休止状態および活動状態を含み、前記端末装置の休止状態においても前記監視装置からのアクセスが可能であって、前記監視対象装置に関する受信済みの故障履歴番号を記憶する既読故障履歴記憶部を有する監視システムにおける保守用端末装置の起動方法であって、
前記監視対象装置の故障を監視する監視ステップと、
前記監視ステップが故障を検出した時点をトリガとして、前記監視対象装置の故障情報および各故障情報の前後関係を識別する故障履歴番号を記憶する故障履歴記憶ステップと、
前記点検用スイッチが通常状態から点検状態に切り替わった場合に、前記監視装置の近傍に存在する前記端末装置の既読故障履歴記憶部から前記受信済みの故障履歴番号を読み出す読み出しステップと、
読み出した前記受信済みの故障履歴番号と前記故障履歴記憶部に記憶された故障履歴番号とを比較し、前記故障履歴記憶部に未送信の故障履歴がある場合に、前記端末装置に対して端末起動指令を送信する送信ステップと、
を有することを特徴とする保守用端末装置の起動方法。
【発明の詳細な説明】
【技術分野】
【０００１】
この発明は、例えばエレベータの保守作業に係る監視システムおよび保守用端末装置の起動方法に関する。
【背景技術】
【０００２】
従来から、エレベータ制御盤からの制御信号に応じて、発光素子の点灯消灯動作を含む操作表示動作全般を制御する半導体ユニットが、発光素子の点灯消灯動作を制御することで、エレベータに係る情報を、発光素子の発する可視光によりメンテナンス装置へと通信するエレベータの操作表示装置が知られている（例えば、特許文献１参照）。
【０００３】
また、エレベータを運行制御する各製品ソフトウエアを有し、製品ソフトウエア毎にエレベータの故障を検出して、エレベータ故障検出時の運行状況を生成するエレベータ運行制御装置と、エレベータの故障状態を監視し、エレベータの故障時のデータを記録／加工して、自己診断履歴を生成し、故障時運行状況データを記録処理する第１の保守ソフトウエアと、エレベータの情報を一時的に記録し、故障検出状況を監視する共用部と、エレベータ故障時の各種データから自己診断履歴を蓄積し、運行状況データを蓄積する第２の保守ソフトウエアと、第２の保守ソフトウエアに蓄積されたデータを表示するデータ表示用端末とを備えたエレベータの故障解析装置が知られている（例えば、特許文献２参照）。
【０００４】
また、例えばエレベータの保守作業において、保守員は、作業開始時に、エレベータ監視装置に記憶されている故障・異常等の履歴（以下、「故障履歴」と称する）を確認し、前回の保守作業から今回の保守作業までの間に発生した故障等を確認した上で、対象となる履歴（未対応の故障等）があった場合に必要な作業を追加で行っている。
【０００５】
ここで、故障履歴の確認は、保守作業で使用される端末装置（ノートＰＣ）をエレベータ監視装置に接続し、エレベータ監視装置から故障履歴を読み出して、故障履歴を端末装置に表示して行われる。
【先行技術文献】
【特許文献】
【０００６】
【特許文献１】特開２００９−１６７００４号公報
【特許文献２】特開２００６−２１３４６９号公報
【発明の概要】
【発明が解決しようとする課題】
【０００７】
しかしながら、従来技術には、以下のような課題がある。
すなわち、前回の保守作業から今回の保守作業までの間に故障等が発生せず、新たな故障履歴がない場合には、端末装置を立ち上げる必要がないが、そのことは、端末装置を立ち上げなければ分からないという問題がある。また、故障履歴の確認は、保守員が能動的に端末装置を立ち上げて行わなければならないので、当日の作業で端末装置を使用しない場合には、確認自体を忘れる恐れがあるという問題もある。
【０００８】
この発明は、上記のような課題を解決するためになされたものであり、前回の保守作業から今回の保守作業までの間に新たな故障履歴がある場合に、端末装置を確実に起動することができる監視システムおよび保守用端末装置の起動方法を得ることを目的とする。
【課題を解決するための手段】
【０００９】
この発明に係る監視システムは、状態が通常状態と点検状態とに切り替わる点検用スイッチを備えた監視対象装置を監視する監視装置と、監視装置との間で通信を行う端末装置と、を備え、端末装置は、休止状態および活動状態を含み、端末装置の休止状態においても監視装置からのアクセスが可能であって、監視対象装置に関する受信済みの故障履歴番号を記憶する既読故障履歴記憶部を有し、監視装置は、監視対象装置の故障を監視する監視部と、監視部が故障を検出した時点をトリガとして、監視対象装置の故障情報および各故障情報の前後関係を識別する故障履歴番号を記憶する故障履歴記憶部と、点検用スイッチが通常状態から点検状態に切り替わった場合に、監視装置の近傍に存在する端末装置の既読故障履歴記憶部から受信済みの故障履歴番号を読み出すとともに、読み出した受信済みの故障履歴番号と故障履歴記憶部に記憶された故障履歴番号とを比較し、故障履歴記憶部に未送信の故障履歴がある場合に、端末装置に対して端末起動指令を送信する端末装置起動制御部と、を有するものである。
【００１０】
また、この発明に係る保守用端末装置の起動方法は、状態が通常状態と点検状態とに切り替わる点検用スイッチを備えた監視対象装置を監視する監視装置と、監視装置との間で通信を行う端末装置と、を備え、端末装置は、休止状態および活動状態を含み、端末装置の休止状態においても監視装置からのアクセスが可能であって、監視対象装置に関する受信済みの故障履歴番号を記憶する既読故障履歴記憶部を有する監視システムにおける保守用端末装置の起動方法であって、監視対象装置の故障を監視する監視ステップと、監視ステップが故障を検出した時点をトリガとして、監視対象装置の故障情報および各故障情報の前後関係を識別する故障履歴番号を記憶する故障履歴記憶ステップと、点検用スイッチが通常状態から点検状態に切り替わった場合に、監視装置の近傍に存在する端末装置の既読故障履歴記憶部から受信済みの故障履歴番号を読み出す読み出しステップと、読み出した受信済みの故障履歴番号と故障履歴記憶部に記憶された故障履歴番号とを比較し、故障履歴記憶部に未送信の故障履歴がある場合に、端末装置に対して端末起動指令を送信する送信ステップと、を有するものである。
【発明の効果】
【００１１】
この発明に係る監視システムおよび保守用端末装置の起動方法によれば、端末装置起動制御部（読み出しステップおよび通報ステップ）は、点検用スイッチが通常状態から点検状態に切り替わった場合に、監視装置の近傍に存在する端末装置の既読故障履歴記憶部から受信済みの故障履歴番号を読み出すとともに、読み出した受信済みの故障履歴番号と故障履歴記憶部に記憶された故障履歴番号とを比較し、故障履歴記憶部に未送信の故障履歴がある場合に、端末装置に対して端末起動指令を送信する。
すなわち、端末装置起動制御部は、端末装置の休止状態においても給電されて動作する既読故障履歴記憶部から受信済みの故障履歴番号を読み出すので、端末装置が休止状態であるか活動状態であるかにかかわらず、未読の故障履歴が監視装置にあるか否かを判別することができる。
そのため、前回の保守作業から今回の保守作業までの間に新たな故障履歴がある場合に、端末装置を確実に起動することができる。
また、未読の故障履歴がない場合には、端末装置を起動しないので、端末装置を使用しない作業においては、端末装置の起動を不要にして作業時間を短縮することができる。
【図面の簡単な説明】
【００１２】
【図１】この発明の実施の形態１に係る監視システムを示すブロック構成図である。
【図２】図１に示した端末装置のハードウエアを示すブロック構成図である。
【図３】図１に示したエレベータ監視装置の端末装置起動制御部の動作を示すフローチャートである。
【図４】図１に示した端末装置の保守ツール部の動作を示すフローチャートである。
【発明を実施するための形態】
【００１３】
以下、この発明に係る監視システムおよび保守用端末装置の起動方法の好適な実施の形態につき図面を用いて説明するが、各図において同一、または相当する部分については、同一符号を付して説明する。
【００１４】
実施の形態１．
図１は、この発明の実施の形態１に係る監視システムを示すブロック構成図である。図１において、この監視システムは、エレベータ監視システム（監視システム）１と、エレベータ監視システム１によって監視および点検されるエレベータ装置（監視対象装置）２とから構成されている。
【００１５】
エレベータ監視システム１は、エレベータ監視装置（監視装置）１０、無線ＬＡＮアクセスポイント２０および端末装置３０を備えている。ここで、端末装置３０は、エレベータ装置２の保守作業を行う保守員により所持される。
【００１６】
エレベータ監視装置１０は、エレベータ装置２の動作を監視する。無線ＬＡＮアクセスポイント２０は、エレベータ監視装置１０と端末装置３０との間に接続されている。エレベータ監視装置１０と端末装置３０とは、無線ＬＡＮアクセスポイント２０を介して、無線ＬＡＮ通信による通信が可能となっている。端末装置３０は、エレベータ装置２を点検する際に用いられる。
【００１７】
エレベータ装置２は、かご（図示せず）の昇降等を制御するエレベータ制御部２１と、操作されることにより状態が通常状態と点検状態とに切り替わる点検用スイッチ２２と、エレベータ制御部２１に接続されたネットワーク通信部２３と、ネットワーク通信部２３に接続されたシリアル通信部２４とを有している。
【００１８】
エレベータ制御部２１には、点検用スイッチ２２の状態の情報を含むエレベータ装置２の状態の情報が入力されるようになっている。また、エレベータ制御部２１には、エレベータ管理番号（例えば、エレベータ装置２を特定する情報である号機番号）の情報が記憶されている。
【００１９】
図１では、エレベータ制御部２１に接続された点検用スイッチ２２の数が１個であるエレベータ装置２を示しているが、この実施の形態では、４個の点検用スイッチ２２をエレベータ装置２が備え、それぞれの点検用スイッチ２２がエレベータ制御部２１に接続されている。
【００２０】
４個の点検用スイッチ２２は、点検作業中である旨を表示装置（図示せず）に表示させるためのメンテナンススイッチ、かごの天井に設けられた照明装置（図示せず）を点滅点灯させるための点検スイッチ、停電時自動着床装置（図示せず）の駆動を停止させるための駆動停止スイッチ、およびエレベータ制御部２１を収容する制御盤（図示せず）の扉の回動による操作口の開閉を検出する制御盤扉開閉スイッチから構成されている。
【００２１】
メンテナンススイッチおよび点検スイッチの状態は、通常状態の場合にオフ状態となり、点検状態の場合にオン状態となる。駆動停止スイッチおよび制御盤扉開閉スイッチの状態は、通常状態の場合にオン状態となり、点検状態の場合にオフ状態となる。点検用スイッチ２２は、エレベータ装置２が通常運転を行う場合に、状態が通常状態となるように保守員により操作され、エレベータ装置２の点検を行う場合に、状態が点検状態となるように保守員により操作される。
【００２２】
エレベータ監視装置１０は、エレベータ監視部（監視部）１１と、端末装置起動制御部１２と、エレベータ装置２の故障履歴を記憶する故障履歴記憶部１３と、エレベータ監視部１１および端末装置起動制御部１２に接続されたネットワーク通信部１４と、ネットワーク通信部１４とエレベータ装置２のシリアル通信部２４とに接続されたシリアル通信部１５と、ネットワーク通信部１４と無線ＬＡＮアクセスポイント２０とに接続されたＬＡＮ通信部１６とを有している。
【００２３】
エレベータ監視部１１は、点検用スイッチ２２の状態の情報を含むエレベータ装置２の状態の情報をエレベータ制御部２１から読み出す。端末装置起動制御部１２は、エレベータ監視部１１が読み出したエレベータ装置２の情報の中から点検用スイッチ２２の状態の情報を読み出す。
【００２４】
エレベータ制御部２１とエレベータ監視部１１とは、ネットワーク通信部２３、シリアル通信部２４、シリアル通信部１５およびネットワーク通信部１４を介して、互いに通信可能となっている。
【００２５】
端末装置起動制御部１２は、点検用スイッチ２２の状態が通常状態である場合の点検用スイッチ２２の状態の情報があらかじめ記憶される記憶領域（図示せず）と、エレベータ監視部１１から読み出した点検用スイッチ２２の状態の情報が記憶される記憶領域（図示せず）とを有している。
【００２６】
端末装置起動制御部１２は、あらかじめ記憶されている点検用スイッチ２２の状態の情報と、エレベータ監視部１１から読み出した点検用スイッチ２２の状態の情報とを比較し、点検用スイッチ２２の状態が通常状態（オフ状態）から点検状態（オン状態）に切り替わった場合に作業開始を判定する。
【００２７】
端末装置３０は、インテル（登録商標）アクティブ・マネジメント・テクノロジ（Ｉｎｔｅｌ（登録商標）  ＡＭＴ）に対応したＰＣから構成されている。端末装置３０は、操作されることにより、電源オンでＯＳ（例えば、Ｗｉｎｄｏｗｓ（登録商標））が稼働している状態である活動状態（Ｓ０状態）と、ソフトウエアによる電源オフ（ただし一部デバイスへの給電あり）でＯＳが非稼働の状態である休止状態（Ｓ５状態）とに切り替わるようになっている。
【００２８】
端末装置３０は、端末装置３０の状態が活動状態のときにのみ動作する活動状態動作部４０と、端末装置３０が活動状態であるか休止状態であるかに関係なく動作する定常動作部５０とを有している。なお、休止状態において、他のＰＣからの不揮発メモリへのアクセス、休止状態から活動状態への電源オンまたは電源オフが可能である。
【００２９】
活動状態動作部４０は、定常動作部５０に接続されたネットワーク通信部４１と、エレベータ装置２の故障履歴やエレベータ装置２の状態等の点検に必要なエレベータ装置２の情報が、エレベータ監視部１１から入力される保守ツール部４２と、保守ツール部４２および後述する管理エンジン部５２に接続された管理エンジンインタフェース部４３とを有している。
【００３０】
定常動作部５０は、無線ＬＡＮアクセスポイント２０が発する電波を受ける無線ＬＡＮ通信部５１と、無線ＬＡＮ通信部５１に接続された管理エンジン部５２と、端末装置３０の状態が活動状態であるか休止状態であるかに関係なく、管理エンジン部５２および無線ＬＡＮ通信部５１に電力を供給する電源管理部５３と、管理エンジン部５２に接続された不揮発メモリ管理部５４と、受信済みの故障履歴番号を記憶する既読故障履歴記憶部５５とを有している。
【００３１】
無線ＬＡＮ通信部５１、管理エンジン部５２、電源管理部５３、不揮発メモリ管理部５４および既読故障履歴記憶部５５は、端末装置３０の状態が活動状態であるか休止状態であるかに関係なく、動作可能となっている。また、電源管理部５３は、端末装置３０の状態が活動状態である場合にのみ、ネットワーク通信部４１、保守ツール部４２および管理エンジンインタフェース部４３に電力を供給する。ネットワーク通信部４１および保守ツール部４２は、端末装置３０の状態が活動状態である場合にのみ、動作可能となっている。
【００３２】
ネットワーク通信部１４およびネットワーク通信部４１は、無線ＬＡＮ通信部５１および無線ＬＡＮアクセスポイント２０が相互に電波を送受信可能な領域に位置する場合であって、端末装置３０の状態が活動状態である場合にのみ、ＬＡＮ通信部１６、無線ＬＡＮアクセスポイント２０および無線ＬＡＮ通信部５１を介して互いに通信可能となる。
【００３３】
また、ネットワーク通信部１４とネットワーク通信部４１との間の通信が可能である場合に、エレベータ監視部１１と保守ツール部４２との間の接続が可能となる。また、端末装置起動制御部１２および無線ＬＡＮ通信部５１は、無線ＬＡＮ通信部５１および無線ＬＡＮアクセスポイント２０が相互に電波を送受信可能な領域に位置する場合であれば、端末装置３０の状態が活動状態であるか休止状態であるかに関係なく、互いに通信可能となる。
【００３４】
エレベータ監視装置１０および端末装置３０は、端末装置起動制御部１２および無線ＬＡＮ通信部５１が互いに通信可能である場合に、互いに通信可能となる。したがって、無線ＬＡＮ通信部５１が無線ＬＡＮアクセスポイント２０の電波を受信可能な領域に位置しない場合には、エレベータ監視装置１０と端末装置３０との間の通信が不能となる。
【００３５】
図２は、図１に示した端末装置３０のハードウエアを示すブロック構成図である。端末装置３０のハードウエアは、活動状態動作部４０を動作させるための活動状態動作ハードウエア部６０と、定常動作部５０を動作させるための定常動作ハードウエア部７０と、活動状態動作ハードウエア部６０および定常動作ハードウエア部７０のそれぞれに電力を供給する電源供給装置８０とを有している。
【００３６】
活動状態動作ハードウエア部６０は、ＣＰＵ（Ｃｅｎｔｒａｌ  Ｐｒｏｃｅｓｓｉｎｇ  Ｕｎｉｔ）６１と、ＨＤＤ（Ｈａｒｄ  Ｄｉｓｃ  Ｄｒｉｖｅ）６２と、ＨＤＤ６２を制御するＨＤＤコントローラ６３と、ディスプレイ６４と、ディスプレイ６４を制御するディスプレイコントローラ６５と、スピーカ６６と、スピーカ６６を制御するサウンドコントローラ６７と、キーボード・マウス６８と、キーボード・マウス６８を制御する入力コントローラ６９とを有している。
【００３７】
定常動作ハードウエア部７０は、管理ＣＰＵ７１と、管理ＣＰＵ７１に接続されたメモリコントローラ７２と、メモリコントローラ７２により制御されるメモリ７３と、メモリコントローラ７２に接続されたＩ／Ｏコントローラ７４と、ＬＡＮインタフェース７５と、不揮発性メモリ７６とを有している。ＬＡＮインタフェース７５および不揮発性メモリ７６は、Ｉ／Ｏコントローラ７４に接続されている。
【００３８】
以下、図１に戻って、エレベータ監視装置１０および端末装置３０の主な部分の機能について説明する。
エレベータ監視部１１は、エレベータ装置２の故障を監視する。故障履歴記憶部１３は、エレベータ監視部１１が故障を検出した時点をトリガとして、故障コードと故障時運行データとからなるエレベータの故障情報と、各故障情報の前後関係を識別する故障履歴番号とを記憶する。
【００３９】
端末装置起動制御部１２は、点検用スイッチ２２の状態が通常状態（オフ状態）から点検状態（オン状態）に切り替わった場合に、無線ＬＡＮアクセスポイント２０の電波をオンし、無線ＬＡＮ通信により、近傍の端末装置３０の既読故障履歴記憶部５５から受信済みの故障履歴番号を読み出す。
【００４０】
また、端末装置起動制御部１２は、読み出した受信済みの故障履歴番号と故障履歴記憶部１３に記憶された故障履歴番号とを比較し、故障履歴記憶部１３に未送信の故障履歴がある場合に、端末装置３０に対して端末起動指令を送信する。
【００４１】
管理エンジン部５２は、端末装置起動制御部１２から端末起動指令を受信した場合に、電源管理部５３に対して端末起動指令を送信する。端末装置３０が活動状態（Ｓ０状態）になった後、保守ツール部４２は、無線ＬＡＮを介してエレベータ監視部１１と接続し、故障履歴を読み出して画面（図示せず）に表示するとともに、管理エンジン部５２を介して既読故障履歴記憶部５５の故障履歴番号を更新する。
【００４２】
以下、図３のフローチャートを参照しながら、エレベータ監視装置１０の端末装置起動制御部１２の動作について説明する。
まず、端末装置起動制御部１２は、エレベータ監視部１１が読み出したエレベータ装置２の情報の中から点検用スイッチ２２の状態の情報とエレベータ装置２のエレベータ管理番号の情報とを読み出す（ステップＳ１）。
【００４３】
続いて、端末装置起動制御部１２は、何れかの点検用スイッチ２２の状態が点検状態であるか否かを判定する（ステップＳ２）。
ステップＳ２において、何れの点検用スイッチ２２の状態も点検状態でない（すなわち、Ｎｏ）と判定された場合には、ステップＳ１に移行する。
【００４４】
一方、ステップＳ２において、何れかの点検用スイッチ２２の状態が点検状態である（すなわち、Ｙｅｓ）と判定された場合には、端末装置起動制御部１２は、エレベータ監視装置１０のネットワーク通信部１４と端末装置３０のネットワーク通信部４１とが通信可能か否かを判定する（ステップＳ３）。
【００４５】
ステップＳ３において、ネットワーク通信部１４とネットワーク通信部４１とが通信可能である（すなわち、Ｙｅｓ）と判定された場合には、端末装置起動制御部１２は、端末装置３０の既読故障履歴記憶部５５から受信済の故障履歴番号を読み取る（ステップＳ４）。
【００４６】
一方、ステップＳ３において、ネットワーク通信部１４とネットワーク通信部４１とが通信可能でない（すなわち、Ｎｏ）と判定された場合には、端末装置起動制御部１２は、無線ＬＡＮアクセスポイント２０に対して、電波オン指令を送信する（ステップＳ５）。
【００４７】
これにより、端末装置起動制御部１２は、エレベータ監視装置１０のネットワーク通信部１４と端末装置３０のネットワーク通信部４１とを接続し（ステップＳ６）、ステップＳ４に移行する。
【００４８】
次に、端末装置起動制御部１２は、故障履歴記憶部１３に記憶された故障履歴番号を読み出す（ステップＳ７）。
続いて、端末装置起動制御部１２は、故障履歴記憶部１３に記憶された故障履歴番号が、既読故障履歴記憶部５５から読み取った受信済の故障履歴番号よりも新しいか否かを判定する（ステップＳ８）。
【００４９】
ステップＳ８において、故障履歴番号が新しい（すなわち、Ｙｅｓ）と判定された場合には、端末装置起動制御部１２は、端末装置３０に対して端末起動指令を送信する（ステップＳ９）。
このとき、端末装置起動制御部１２は、端末装置３０を使用する保守員に対して、端末装置３０を起動する旨を報知してもよい。具体的には、エレベータ監視装置１０のブザーを特定のパターンで鳴動させるか、端末装置３０から音を出すか、または保守員が所持する携帯電話装置にメールを送信する。
【００５０】
次に、端末装置起動制御部１２は、再度、エレベータ監視部１１が読み出したエレベータ装置２の情報の中から点検用スイッチ２２の状態の情報とエレベータ装置２のエレベータ管理番号の情報とを読み出す（ステップＳ１０）。
【００５１】
なお、ステップＳ８において、故障履歴番号が新しくない（すなわち、Ｎｏ）と判定された場合には、直ちにステップＳ１０に移行する。
続いて、端末装置起動制御部１２は、すべての点検用スイッチ２２の状態が通常状態であるか否かを判定する（ステップＳ１１）。
【００５２】
ステップＳ１１において、すべての点検用スイッチ２２の状態が通常状態である（すなわち、Ｙｅｓ）と判定された場合には、端末装置起動制御部１２は、図３の処理を終了し、ステップＳ１１において、すべての点検用スイッチ２２の状態が通常状態であるわけではない（すなわち、Ｎｏ）と判定された場合には、ステップＳ１０に移行する。
【００５３】
以下、図４のフローチャートを参照しながら、端末装置３０保守ツール部４２の動作について説明する。
まず、保守ツール部４２は、エレベータ監視装置１０の故障履歴記憶部１３から故障履歴を受信して表示する（ステップＳ２１）。
【００５４】
続いて、保守ツール部４２は、表示した故障履歴の故障履歴番号が、受信済の故障履歴番号よりも大きいか否かを判定する（ステップＳ２２）。
ステップＳ２２において、表示した故障履歴の故障履歴番号が、受信済の故障履歴番号よりも大きい（すなわち、Ｙｅｓ）と判定された場合には、保守ツール部４２は、既読故障履歴記憶部５５の故障履歴番号を更新する（ステップＳ２３）。
【００５５】
次に、保守ツール部４２は、すべての故障履歴を受信して表示したか否かを判定する（ステップＳ２４）。
なお、ステップＳ２２において、表示した故障履歴の故障履歴番号が、受信済の故障履歴番号よりも小さい（すなわち、Ｎｏ）と判定された場合には、直ちにステップＳ２４に移行する。
【００５６】
ステップＳ２４において、すべての故障履歴を受信して表示した（すなわち、Ｙｅｓ）と判定された場合には、端末装置起動制御部１２は、図４の処理を終了し、ステップＳ２４において、すべての故障履歴を受信して表示したわけではない（すなわち、Ｎｏ）と判定された場合には、ステップＳ２１に移行する。
【００５７】
以上のように、実施の形態１によれば、端末装置起動制御部は、点検用スイッチが通常状態から点検状態に切り替わった場合に、監視装置の近傍に存在する端末装置の既読故障履歴記憶部から受信済みの故障履歴番号を読み出すとともに、読み出した受信済みの故障履歴番号と故障履歴記憶部に記憶された故障履歴番号とを比較し、故障履歴記憶部に未送信の故障履歴がある場合に、端末装置に対して端末起動指令を送信する。
すなわち、端末装置起動制御部は、端末装置の休止状態においても給電されて動作する既読故障履歴記憶部から受信済みの故障履歴番号を読み出すので、端末装置が休止状態であるか活動状態であるかにかかわらず、未読の故障履歴が監視装置にあるか否かを判別することができる。
そのため、前回の保守作業から今回の保守作業までの間に新たな故障履歴がある場合に、端末装置を確実に起動することができる。
また、未読の故障履歴がない場合には、端末装置を起動しないので、端末装置を使用しない作業においては、端末装置の起動を不要にして作業時間を短縮することができる。
【符号の説明】
【００５８】
１  エレベータ監視システム、２  エレベータ装置、１０  エレベータ監視装置、１１  エレベータ監視部、１２  端末装置起動制御部、１３  故障履歴記憶部、１４  ネットワーク通信部、１５  シリアル通信部、１６  ＬＡＮ通信部、２０  無線ＬＡＮアクセスポイント、２１  エレベータ制御部、２２  点検用スイッチ、２３  ネットワーク通信部、２４  シリアル通信部、３０  端末装置、４０  活動状態動作部、４１  ネットワーク通信部、４２  保守ツール部、４３  管理エンジンインタフェース部、５０  定常動作部、５１  無線ＬＡＮ通信部、５２  管理エンジン部、５３  電源管理部、５４  不揮発メモリ管理部、５５  既読故障履歴記憶部、６０  活動状態動作ハードウエア部、６１  ＣＰＵ、６２  ＨＤＤ、６３  ＨＤＤコントローラ、６４  ディスプレイ、６５  ディスプレイコントローラ、６６  スピーカ、６７  サウンドコントローラ、６８  キーボード・マウス、６９  入力コントローラ、７０  定常動作ハードウエア部、７１  管理ＣＰＵ、７２  メモリコントローラ、７３  メモリ、７４  Ｉ／Ｏコントローラ、７５  ＬＡＮインタフェース、７６  不揮発性メモリ、８０  電源供給装置。
【図１】
2013163584.tif 000003
【図２】
2013163584.tif 000004
【図３】
2013163584.tif 000005
【図４】
2013163584.tif 000006